(57)【特許請求の範囲】
【請求項１】
屋外に立設した支柱に取り付けられる防犯灯本体を備え、
前記防犯灯本体に、街路進行方向を照射する第１ＬＥＤユニット、前記街路進行方向と反対の方向を照射する第２ＬＥＤユニット、及び、前記街路進行方向と略直交する路面側の方向を照射する第３ＬＥＤユニットの少なくとも３つのＬＥＤユニットを設け、
前記第１、第２及び第３ＬＥＤユニットによって遠方から近傍を全体的に照度ムラが抑えられるように照射するように前記第１、第２及び第３ＬＥＤユニットのそれぞれの配光特性が制御され、
前記防犯灯本体の背面部を前記支柱の外周面に沿った形状に形成し、
前記第１、第２、及び第３ＬＥＤユニットが、高熱電導性材から形成されたマウント基板を有し、
前記第１、第２及び第３ＬＥＤユニットを着脱自在に取り付けるユニット取付部を前記防犯灯本体に設け、
前記ユニット取付部には、平行に配列された複数の放熱フィンが一体に形成され、これらの放熱フィンは、前記第１、第２及び第３ＬＥＤユニットのマウント基板に合わせて切り欠かれて前記マウント基板が面接触させて取付けられる取付凹部が形成されていることを特徴とする防犯灯。
【請求項２】
請求項１に記載の防犯灯において、
前記防犯灯本体内部に仕切板を設けて上下に仕切り、前記仕切板の下側に前記ユニット取付部及び前記第１、第２及び第３ＬＥＤユニットを配設すると共に、前記第１、第２及び第３ＬＥＤユニットに電力を供給する電源モジュールを前記仕切板の上側に配設したことを特徴とする防犯灯。
【発明の詳細な説明】
【技術分野】
【０００１】
本発明は、屋外に立設した例えば電柱などの支柱に取り付けられる防犯灯に関する。
【背景技術】
【０００２】
従来、街路側に立設した電柱などの支柱に取り付けられて街路面を照明する防犯灯が知られている。この種の防犯灯は、一般に、線状光源と、この線状光源からの光を街路側に反射する反射板とを防犯灯本体に収納し、また、防犯灯本体の投光開口に透光性のグローブを設けて構成されている。
ところで、屋外に設置される照明器具においては、道路際の民家の窓や田畑に光り漏れが生じ光公害が発生することがあり、上記の防犯灯においても、光公害の対策を講じる必要がある。
そこで従来の防犯灯においては、線状光源の長手方向を街路進行方向と略平行となるように設置すると共に、この線状光源から放射された光の配光を、上記反射板及びグローブで制御して光公害を防止する技術が提案されている（例えば、特許文献１参照）。
【先行技術文献】
【特許文献】
【０００３】
【特許文献１】特開２００６−１２４７３号公報
【発明の概要】
【発明が解決しようとする課題】
【０００４】
しかしながら、従来の防犯灯においては、反射板を如何に設計しようとも、漏れ光を無くすことができず光のロスが生じる、といった問題がある。さらに、単数の線状光源を光制御するには、少なくとも当該線状光源を覆う寸法の反射板を要するため、防犯灯本体のサイズが大きくなるばかりか、防犯灯本体の重量も重くなる。
本発明は、上述した事情に鑑みてなされたものであり、小型、軽量化が可能であり、かつ、効率良く照明することのできる防犯灯を提供することを目的とする。
【課題を解決するための手段】
【０００５】
上記目的を達成するために、本発明は、屋外に立設した支柱に取り付けられる防犯灯本体を備え、前記防犯灯本体に、街路進行方向を照射する第１ＬＥＤユニット、前記街路進行方向と反対の方向を照射する第２ＬＥＤユニット、及び、前記街路進行方向と略直交する路面側の方向を照射する第３ＬＥＤユニットの少なくとも３つのＬＥＤユニットを設け、前記第１、第２及び第３ＬＥＤユニットによって遠方から近傍を全体的に照度ムラが抑えられるように照射するように前記第１、第２及び第３ＬＥＤユニットのそれぞれの配光特性が制御され、前記防犯灯本体の背面部を前記支柱の外周面に沿った形状に形成し、前記第１、第２、及び第３ＬＥＤユニットが、高熱電導性材から形成されたマウント基板を有し、前記第１、第２及び第３ＬＥＤユニットを着脱自在に取り付けるユニット取付部を前記防犯灯本体に設け、前記ユニット取付部には、平行に配列された複数の放熱フィンが一体に形成され、これらの放熱フィンは、前記第１、第２及び第３ＬＥＤユニットのマウント基板に合わせて切り欠かれて前記マウント基板が面接触させて取付けられる取付凹部が形成されていることを特徴とする防犯灯を提供する。
【０００７】
また本発明は、上記発明において、前記防犯灯本体内部に仕切板を設けて上下に仕切り、前記仕切板の下側に前記ユニット取付部及び前記第１、第２及び第３ＬＥＤユニットを配設すると共に、前記第１、第２及び第３ＬＥＤユニットに電力を供給する電源モジュールを前記仕切板の上側に配設したことを特徴とする。
【発明の効果】
【０００８】
本発明によれば、街路進行方向を照射する第１ＬＥＤユニット、前記街路進行方向と反対の方向を照射する第２ＬＥＤユニット、及び、前記街路進行方向と略直交する路面側の方向を照射する第３ＬＥＤユニットの３つのＬＥＤユニットを設けて防犯灯の光源を構成したため、ランプを光源とし、また、ランプを覆う反射板を備えた従来の防犯灯に比べて、小型・軽量化が可能になる。
さらに、３つのＬＥＤユニットを光源として用いるため、それぞれのＬＥＤユニットの配光及び光放射方向を各個に制御することが可能となり、これにより漏れ光の原因となる無駄な方向への光照射を無くし、効率よく路面を照明することができる。
また本発明によれば、防犯灯本体の背面部を支柱の外周面に沿った形状に形成したため、防犯灯本体を支柱に取り付ける際に、背面部に支柱が嵌り込むこととなり、防犯灯本体の街路側の張り出し量を抑え、コンパクトな防犯灯が実現される。さらに、防犯灯本体が支柱に嵌り込むようにして取り付けられるため、横方向からの風圧に対する強度が高められる。
【図面の簡単な説明】
【０００９】
【図１】本発明の実施形態に係る防犯灯の斜視図。
【図２】防犯灯の底面図。
【図３】防犯灯の背面図。
【図４】防犯灯の側面図。
【図５】図２におけるＩ−Ｉ線をみた断面図。
【図６】防犯灯の分解斜視図。
【発明を実施するための形態】
【００１０】
以下、図面を参照して本発明の実施形態について説明する。
図１は本実施形態に係る防犯灯１を下から見た斜視図、図２は防犯灯１の底面図、図３は防犯灯１の背面図、図４は防犯灯１の左側面図である。
これらの図に示すように、防犯灯１は、屋外に立設した支柱の一例たる電柱２（図２参照）に取り付けられ街路を照明するものであり、光源部３と、この光源部３を収納する防犯灯本体４とを有している。
【００１１】
防犯灯本体４は、電柱２の外周面２Ａに沿った円弧を描くように屈曲した背面部５を有すると共に、防犯灯本体４の街路側（正面側）の輪郭８が背面部５と略同心円状に屈曲し、全体的に底面視略扇型に形成されている。
上記背面部５には、図３に示すように、金属帯状の取付バンド７を挿通する挿通孔６Ａが形成された一対の取付部６が設けられており、この取付バンド７を電柱２の周囲に締め付けて防犯灯本体４が電柱２に取り付けられる。
【００１２】
防犯灯本体４を電柱２に取り付ける際には、電柱２の外周面２Ａに沿って背面部５が屈曲しているため、この背面部５に電柱２が嵌り込むこととなる。これにより、防犯灯本体４の街路側への張り出し量を抑え、コンパクトな防犯灯１が実現される。
さらに、防犯灯本体４が電柱２に嵌り込むようにして取り付けられるため、横方向からの風圧に対する強度が高められる。
【００１３】
図５は図２のＩ−Ｉ線における断面を見た図であり、図６は防犯灯１の分解図である。
上記防犯灯本体４には、図５に示すように、その内部を上下に仕切り電気部品収納室１１Ａと、光源収納室１１Ｂとを形成する仕切板１０が設けられている。この仕切板１０は、複数のネジ１３により防犯灯本体４に固定されており、電気部品収納室１１Ａにおいては、光源部３に電力を供給する電源モジュール１２などの電気部品を仕切板１０に載置させて収納されている。
このように、防犯灯本体４の内部を上下に仕切り、上側に電気部品収納室１１Ａを形成し、下側に光源収納室１１Ｂを形成する構成とすることで、防犯灯本体４の背面側に電源モジュールなどを配設した構成の防犯灯に比べ、路面側への防犯灯の出っ張りが抑制される。
【００１４】
上記防犯灯本体４の光源収納室１１Ｂは、仕切板１０と対向する側（防犯灯１の取付状態においては底面側）が開口して投光開口１４が形成されており、この投光開口１４には、図６に示すように、光源収納室１１Ｂを覆う光透過性のグローブ２０が取り付けられている。このグローブ２０には、防犯灯本体４よりも上側に向かう光をカットするための遮光部２１が形成されている。この遮光部２１は、グローブ２０の外周面上に水平方向に延びるライン状の溝を上下方向に複数形成してなるラインプリズムにより形成されており、このラインプリズムにより透過光が散乱されて遮光が行われる。
【００１５】
上記光源収納室１１Ｂに収納された光源部３は、第１、第２及び第３ＬＥＤユニット３１〜３３と、光源収納室１１Ｂに固設され、第１〜第３ＬＥＤユニット３１〜３３を取り付けて着脱自在に固定するユニット取付部３５とを有している。
【００１６】
上記第１ＬＥＤユニット３１及び第２ＬＥＤユニット３２は共に沿った街路進行方向Ａ（図２参照）に沿う方向を照明するものであり、本実施形態では第１ＬＥＤユニット３１が街路進行方向Ａに主として光を放射し、第２ＬＥＤユニット３２が街路進行方向Ａと略反対方向に主として光を放射する。また、上記第３ＬＥＤユニット３３は、電柱２から街路側に向かう方向Ｂ（図２参照）に主として光を放射するものである。
【００１７】
なお、第１及び第２ＬＥＤユニット３１、３２を街路進行方向Ａに対して入れ替えるようにしても良い。また、厳密には、上記第１ＬＥＤユニット３１及び第２ＬＥＤユニット３２の光放射方向は互いに正反対になる訳ではなく、防犯灯１による照射範囲によって上記第１ＬＥＤユニット３１の光照射方向と、第２ＬＥＤユニット３２の光放射方向とが成す角度が規定される。
【００１８】
上記第１〜第３ＬＥＤユニット３１〜３３のそれぞれは、例えば図５に示すように、アクリル樹脂などの樹脂材を砲弾型に形成してなるレンズ体４０とＬＥＤ素子４５とを備えて構成したＬＥＤ光源４１を、高熱伝導性材から形成されたマウント基板４２にマウントして構成されており、上記レンズ体４０の形状を調整することで配光特性が制御可能に構成されている。
【００１９】
本実施形態においては、街路進行方向Ａと、その反対方向を照射する第１及び第２ＬＥＤユニット３１及び３２のそれぞれの配光を狭角配光とすることで、防犯灯１から遠方で十分な輝度を維持可能にすると共に、街路側を照射する第３ＬＥＤユニット３３の配光を広角配光とすることで防犯灯１の近傍を広く照射し、全体的に照度ムラが抑制される。
【００２０】
また、防犯灯には明るさの基準があり、歩行者交通量の多い少ないによって基準値が異なるものの、防犯灯としては、少なくとも歩行者交通量の少ない場合の基準値を満たすことが推奨されている。歩行者交通量の少ない場合の明るさの基準は、街路の路面の明るさの平均が３ルクス以上であり、街路の中心軸上で路面からの高さが１．５ｍ（メートル）のところの鉛直面照度が０．５ルクスであり、さらに、４ｍ（メートル）先の歩行者の挙動などが視認可能な程度であることである。
本実施形態においては、上記のように第１及び第２ＬＥＤユニット３１、３２の各々に狭角タイプを用いているため、ＬＥＤユニットの出力をいたずらに高めることなく、防犯灯１から４ｍ（メートル）遠方においても歩行者の挙動が十分に視認可能な照度を達成することが可能となる。
【００２１】
さて、ユニット取付部３５は高熱伝導性材料から形成され、相互に一定の間隙を介して平行に配列された多数の放熱フィン３６が一体成形されている。また、これらの放熱フィン３６は、図６に示すように、第１〜第３ＬＥＤユニット３１〜３３のマウント基板４２の形状に合わせて一部が切り欠かれ、このマウント基板４２が嵌め込まれる取付凹部５０が形成されており、マウント基板４２を取付凹部５０に嵌め込んだ後、取付ネジ４３によりマウント基板４２を取付凹部５０に固定する。これにより、マウント基板４２が取付凹部５０の取付面に面接触し、第１〜第３ＬＥＤユニット３１〜３３のＬＥＤ素子４５の発熱がマウント基板４２及び取付凹部５０を介して放熱フィン３６に熱伝導し、当該放熱フィン３６から効率よく放熱されることとなる。
【００２２】
このように、本実施の形態によれば、防犯灯本体４に、街路進行方向Ａを照射する第１ＬＥＤユニット３１、前記街路進行方向Ａと反対の方向を照射する第２ＬＥＤユニット３２、及び、街路進行方向Ａと略直交する路面側の方向Ｂを照射する第３ＬＥＤユニット３３の各々を設けると共に、第１、第２及び第３ＬＥＤユニット３１〜３３の各々をユニット取付部３５に取り付ける構成とした。このように、第１、第２及び第３ＬＥＤユニット３１〜３３により防犯灯の光源を構成したため、ランプを光源とし、また、ランプを覆う反射板を備えた従来の防犯灯に比べて、小型・軽量化が可能になる。
さらに、３つのＬＥＤユニットを光源として用いるため、それぞれのＬＥＤユニットの配光及び光放射方向を各個に制御することが可能となり、これにより漏れ光の原因となる無駄な方向への光照射を無くし、効率よく路面を照明することができる。
特に、本実施形態においては、上記第１及び第２ＬＥＤユニットを狭角配光としたため遠方で十分な輝度を維持可能にすると共に、上記第３ＬＥＤユニットの配光を広角配光としたため防犯灯の近傍を広く照射し、全体的に照度ムラを抑制することができる。
【００２３】
また本実施形態によれば、第１、第２及び第３ＬＥＤユニット３１〜３３を着脱自在に取り付けるユニット取付部３５を防犯灯本体４に設け、ユニット取付部３５に複数の放熱フィン３６を形成したため、第１、第２及び第３ＬＥＤユニット３１〜３３の放熱性を高め、使用寿命を延ばすことができる。また、第１、第２及び第３ＬＥＤユニット３１〜３３をユニット取付部３５に着脱自在な構成としたため、ＬＥＤユニットの個別の交換が可能となる。
【００２４】
また本実施形態によれば、防犯灯本体４の背面部５を電柱２の外周面２Ａに沿った形状に形成したため、防犯灯本体４を電柱２に取り付ける際に、背面部５に電柱２が嵌り込むこととなり、防犯灯本体４の街路側への張り出し量を抑え、コンパクトな防犯灯１が実現される。さらに、防犯灯本体４が電柱２に嵌り込むようにして取り付けられるため、横方向からの風圧に対する強度が高められる。
【００２５】
また本実施形態によれば、防犯灯本体４の内部に仕切板１０を設けて上下に仕切り、仕切板１０の下側にユニット取付部３５及び第１、第２及び第３ＬＥＤユニット３１〜３３を配設すると共に、第１、第２及び第３ＬＥＤユニット３１〜３３に電力を供給する電源モジュールを仕切板１０の上側に配設する構成としたため、防犯灯本体４の背面側に電源モジュールなどを配設した構成の防犯灯に比べ、路面側への防犯灯の出っ張りが抑制される。
【００２６】
なお、上述した実施の形態は、あくまでも本発明の一態様を示すものであり、本発明の範囲内で任意に変形および応用が可能である。
例えば、上述した実施形態において、第１〜第３ＬＥＤユニット３１〜３３のマウント基板４２を取付凹部５０に固定する際に、取付ネジ４３の締め付けを調整することで、ユニット取付部３５に対する第１〜第３ＬＥＤユニット３１〜３３の取付角度を調整可能な構成にしても良い。
これにより、街路の形状や周囲の環境に応じて第１〜第３ＬＥＤユニット３１〜３３のそれぞれの光放射方向を簡単に調整することができ、民家や田畑などへの光の照射を防止し、漏れ光をより確実に抑制することができる。なお、第１〜第３ＬＥＤユニット３１〜３３のそれぞれの取付角度の調整は、上記取付ネジ４３による角度調整に限らず、任意の機構を採用することができる。
【００２７】
例えば、上述した実施形態では、１つのユニット取付部３５に第１〜第３ＬＥＤユニット３１〜３３のそれぞれを取り付ける構成を説明したが、これに限らず、例えば、それぞれのＬＥＤユニットごとにユニット取付部を設ける構成としても良く、さらに、防犯灯本体４に対する各ユニット取付部の取付角度を調整可能に構成することで、ＬＥＤユニットの取付角度を調整可能にしても良い。
また例えば、第１〜第３ＬＥＤユニット３１〜３３の３つのＬＥＤユニットを備える防犯灯について説明したが、これに限らず、４つ以上のＬＥＤユニットを備えても良いことは勿論である。
【符号の説明】
【００２８】
１  防犯灯
２  電柱
４  防犯灯本体
５  背面部
１０  仕切板
１２  電源モジュール
２０  グローブ
２１  遮光部
３１  第１ＬＥＤユニット
３２  第２ＬＥＤユニット
３３  第３ＬＥＤユニット
３５  ユニット取付部
３６  放熱フィン
４０  レンズ体
４２  マウント基板
４３  取付ネジ
５０  取付凹部
Ａ  街路進行方向
【図１】
0005382075.tif 000002
【図２】
0005382075.tif 000003
【図３】
0005382075.tif 000004
【図４】
0005382075.tif 000005
【図５】
0005382075.tif 000006
【図６】
0005382075.tif 000007